【手続補正書】
【提出日】平成25年12月4日(2013.12.4)
【手続補正１】
【補正対象書類名】特許請求の範囲
【補正対象項目名】全文
【補正方法】変更
【補正の内容】
【特許請求の範囲】
【請求項１】
ジェネレータの利用可能な放射能の計算を可能にする情報を含む供給データを溶出システムに入力する段階と、
少なくとも生成される娘核種の放射能の量と前記娘核種の量を生成するためのスケジュールとを含む需要データを、前記溶出システムに入力する段階と、
前記需要データに基づいて、前記複数のジェネレータそれぞれに対する最適な溶出スケジュールを計算し選択する段階であって、前記需要データを満たす際に前記複数のジェネレータによって生成される娘同位体の無駄を最小限に抑えるように、現在の需要、今後の需要、並びに現在及び後に続く需要時点の両方の利用可能な放射能を比較することを含む、段階と、
前記最適な溶出スケジュールに従って前記複数のジェネレータの選択されたものから前記娘核種を溶出する段階と、
前記濃縮カラムの前記複数のジェネレータのうち前記選択されたものそれぞれから前記娘核種を収集する段階と、
前記濃縮カラムからの前記娘核種を収集容器へと溶出する段階とを含む、複数の親娘ジェネレータから娘核種を溶出する方法。
【請求項２】
計算し選択する前記段階が、前記需要データ及び前記複数のジェネレータの放射能レベルの一般化勾配減少アルゴリズム分析を行うことを更に含む、請求項１記載の複数の親娘ジェネレータから娘核種を溶出する方法。
【請求項３】
計算し選択する前記段階が、前記複数のジェネレータからの様々な溶出スケジュールのシミュレーションを行うことと、前記溶出スケジュールを選択して、前記需要データを満たす際に前記娘核種の無駄な量を最低限にすることとを更に含む、請求項１記載の複数の親娘ジェネレータから娘核種を溶出する方法。
【請求項４】
需要データを入力する前記段階が、前記需要データを前記制御システムに供給する受信部に前記需要データを入力することを更に含む、請求項１記載の複数の親娘ジェネレータから娘核種を溶出する方法。
【請求項５】
需要データを入力する前記段階が、前記需要データを前記制御システムに供給する受信部に前記需要データを手動で入力する段階を更に含む、請求項４記載の複数の親娘ジェネレータから娘核種を溶出する方法。
【請求項６】
需要データを入力する前記段階が、前記需要データを受信部に自動で電子的に入力する段階を更に含む、請求項４記載の複数の親娘ジェネレータから娘核種を溶出する方法。
【請求項７】
前記需要データを受信部に自動で電子的に入力する前記段階が、前記需要データをウェブベースの注文処理サイトから受け取る段階を更に含む、請求項６記載の複数の親娘ジェネレータから娘核種を溶出する方法。
【請求項８】
計算し選択する前記段階が、前記需要データを前記受信部から受け取る制御システムによって行われる、請求項４記載の複数の親娘ジェネレータから娘核種を溶出する方法。
【請求項９】
供給データを入力する前記段階が、各ジェネレータの校正データを入力する段階と、各ジェネレータが使用のために利用可能な日時を入力する段階と、各ジェネレータの第１の溶出がオフセットした日時を入力する段階とを更に含む、請求項１記載の複数の親娘ジェネレータから娘核種を溶出する方法。
【請求項１０】
計算し選択する前記段階が、親核種の半減期、前記親核種の崩壊方程式、前記娘核種の半減期、前記娘核種の崩壊方程式、溶出収量効率、前記親核種の崩壊に利用可能な溶出の分率、均衡方程式、及び各ジェネレータの満了時間を考慮する、請求項１記載の複数の親娘ジェネレータから娘核種を溶出する方法。
【請求項１１】
時間スケジュールに対して計算された前記複数のジェネレータそれぞれの前記利用可能な放射能を表示する段階と、
前記時間スケジュールで前記需要データをテーブルに表示する段階と、
計算し選択する前記段階からの選択された溶出スケジュールプロファイルを表示する段階とを更に含む、請求項１記載の複数の親娘ジェネレータから娘核種を溶出する方法。
【請求項１２】
前記選択された溶出スケジュールプロファイルを手動でオーバーライドする段階と、
可能にする前記段階から得られるオーバーライド溶出スケジュールプロファイルを計算する段階と、
可能にする前記段階の前記オーバーライド溶出スケジュールプロファイルを表示する段階と、
操作者が前記オーバーライド溶出スケジュールプロファイルの確認及び前記オーバーライド溶出スケジュールプロファイルの手動でのオーバーライドのうち１つを操作者が行うことを可能にする段階とを更に含む、請求項１１記載の複数の親娘ジェネレータから娘核種を溶出する方法。
【請求項１３】
手動でオーバーライドする前記段階が、前記時間スケジュールのある時間に前記複数のジェネレータのうちどれを溶出するかを選択する段階を更に含む、請求項１２記載の複数の親娘ジェネレータから娘核種を溶出する方法。
【請求項１４】
供給データを入力する前記段階が、溶出する前記段階の後に、前記複数のジェネレータのうち前記選択されたものの核内増殖放射能レベルを計算する段階を更に含む、請求項１記載の複数の親娘ジェネレータから娘核種を溶出する方法。
【請求項１５】
計算し選択する前記段階及び溶出する前記段階が制御システムによって行われる、請求項１記載の複数の親娘ジェネレータから娘核種を溶出する方法。
【請求項１６】
前記制御システムが、更なる操作者入力を伴わずに前記選択された溶出プロファイルに従って、溶出する前記段階それぞれを行う、請求項１５記載の複数の親娘ジェネレータから娘核種を溶出する方法。
【請求項１７】
マルチジェネレータ溶出システムを管理するコンピュータ使用可能なプログラムコードを有するコンピュータ使用可能な媒体を備える、マルチジェネレータ溶出システムからの溶出を管理するコンピュータプログラムであって、多数の親娘ジェネレータの入力された供給データを受け取るコンピュータ使用可能なプログラムコードと、前記ジェネレータから放射能の需要データを受け取るコンピュータ使用可能なプログラムコードと、前記ジェネレータの利用可能な放射能及び前記需要データに基づいて、前記ジェネレータの溶出スケジュールを計算するコンピュータ使用可能なプログラムコードと、前記溶出スケジュールに従って前記ジェネレータのうち選択されたものから溶出するように前記溶出システムの作動システムに指示するコンピュータプログラムコードとを含む、コンピュータプログラム。
【請求項１８】
前記供給データ、前記需要データ、前記ジェネレータの前記利用可能な放射能、及び前記溶出スケジュールの少なくとも１つを表示するコンピュータプログラムコードを更に含む、請求項１７記載のコンピュータプログラム。
【請求項１９】
溶出スケジュールを計算する前記コンピュータプログラムコードが、前記需要データ及び前記複数のジェネレータの放射能レベルの一般化勾配減少アルゴリズム分析を行って、無駄を最小限に抑える最適な溶出スケジュールを決定するコンピュータプログラムコードを更に含む、請求項１７記載のコンピュータプログラム。
【請求項２０】
溶出スケジュールを計算する前記コンピュータプログラムコードが、前記複数のジェネレータからの様々な溶出スケジュールのシミュレーションを行い、前記溶出スケジュールを選択して、前記需要データを満たす際に娘核種の無駄な量を最低限にするコンピュータプログラムコードを更に含む、請求項１７記載のコンピュータプログラム。
【請求項２１】
前記コンピュータプログラムに対する新しい制約を入力することによって、操作者が前記計算された溶出スケジュールをオーバーライドできるようにするコンピュータプログラムコードと、前記新しい制約に基づいて新しい溶出スケジュールを計算するコンピュータプログラムコードとを更に含む、請求項１７記載のコンピュータプログラム。
【請求項２２】
後で検索するように前記供給データ、前記需要データ、及び前記溶出スケジュールを格納するコンピュータプログラムコードを更に含む、請求項１７記載のコンピュータプログラム。